(57)【特許請求の範囲】
【請求項１】
表面に所望の厚みのベーマイト層を有するアルミニウム基材の、前記ベーマイト層上に、ベーマイトより屈折率が大きい金属からなり、光線を透過する厚みの表面層を設けたことを特徴とする偽造防止材料。
【請求項２】
前記アルミニウム基材が、アルミニウム蒸着フィルムであることを特徴とする、請求項１記載の偽造防止材料。
【請求項３】
前記表面層が、白金であることを特徴とする、請求項１、または２記載の偽造防止材料。
【請求項４】
前記表面層上に透明保護層を設けたことを特徴とする、請求項１ないし３のいずれかに記載の偽造防止材料。
【請求項５】
前記アルミニウム基材に設けるベーマイト層の厚みを変化させた、複数のアルミニウム基材を用いたことを特徴とする、請求項１ないし４のいずれかに記載の偽造防止材料。
【請求項６】
前記アルミニウム基材が、図形、文字、数字等の特定形状としたことを特徴とする、請求項１ないし５のいずれかに記載の偽造防止材料。
【請求項７】
前記アルミニウム基材上に、図形、文字、数字等の特定形状の印刷層を設けたことを特徴とする、請求項１ないし５のいずれかに記載の偽造防止材料。
【請求項８】
請求項１ないし請求項６のいずれかの偽造防止材料を基体に組み込んだことを特徴とする、偽造防止処理を施した備品。
【発明の詳細な説明】
【０００１】
【発明の属する技術分野】
本発明は、表面にベーマイト層を設けたアルミニウム基材を用いた偽造防止材料、及びこの偽造防止材料を用いた備品に関するものである。
【０００２】
【従来の技術】
カード、有価証券、有名ブランド商品等には、物まね防止、信頼性維持等の目的で、各種偽造防止材料が存在し、それぞれ目的に応じて利用されている。
前述の偽造防止材料として、例えば、赤外線、紫外線を用いて検出可能な表示物を施し、通常では確認できないが、赤外線、紫外線検出器を使用することにより、前記表示部が検出できるか、否かにより真偽を判定する手段があるが、通常の目視では検出ができない課題があった。
【０００３】
【発明が解決しようとする課題】
本発明の目的は、機器を用いずに、目視により検知可能で、しかも偽造が難しい構成の偽造防止材料を提供することである。
【０００４】
【課題を解決するための手段】
請求項１に記載の発明は、表面に所望の厚みのベーマイト層を有するアルミニウム基材の、前記ベーマイト層上に、ベーマイトより屈折率が大きい金属からなり、光線を透過する厚みの表面層を設けたことを特徴とする偽造防止材料である。
このように、得ようとする着色に応じて、アルミニウム基材の表面に設けるベーマイト層の厚みを設定し、さらにベーマイトより屈折率が大きい金属層を設けることにより、屈折率を変化させることができ、ベーマイトからなる表面層の厚みにより、特定の色となり、この色を特定することで、所望の偽造防止材料とすることができる。
【０００５】
請求項２に記載の発明は、前記アルミニウム基材が、アルミニウム蒸着フィルムであることを特徴とする、請求項１記載の偽造防止材料である。
このように、アルミニウム基材を、アルミニウム蒸着フィルムとすることにより、柔軟性を有する偽造防止装飾材料とすることができ、各種用途に適用することができる。
【０００６】
請求項３に記載の発明は、前記表面層が、白金であることを特徴とする、請求項１、または２記載の偽造防止材料である。
このように、ベーマイトより屈折率が大きい金属として、白金を用いることで、安定した金属光沢を有する偽造防止材料とすることができる。
【０００７】
請求項４に記載の発明は、前記表面層上に保護層を設けたことを特徴とする、請求項１ないし３のいずれかに記載の偽造防止材料である。
このように、表面層上に、透明保護層を設けることで、表面層の保護が図れると共に、着色等の構成をさらに付加することができる。
【０００８】
請求項５に記載の発明は、前記アルミニウム基材に設けるベーマイト層の厚みを変化させた、複数のアルミニウム基材を用いたことを特徴とする、請求項１ないし４のいずれかに記載の偽造防止材料である。
このように、ベーマイト層の厚みを変えたアルミニウム基材を複数用いることで、着色が異なる部分を現出することができ、さらに偽造防止性を増すことができる。
【０００９】
請求項６に記載の発明は、前記アルミニウム基材が、図形、文字、数字等の特定形状としたことを特徴とする、請求項１ないし５のいずれかに記載の偽造防止材料である。
このように、着色を部分的に、しかも、図形等の特定形状とすることで、偽造防止性を増すことができる。
また、ベーマイト層の厚みを変えたアルミニウム基材を複数用いることで、特定形状ばかりでなく、着色が異なる部分も現出することができ、さらに偽造防止性を増すことができる。
【００１０】
請求項６に記載の発明は、前記アルミニウム基材上に、図形、文字、数字等の特定形状の印刷層を設けたことを特徴とする、請求項１ないし５のいずれかに記載の偽造防止材料である。
このように、表面層上に、部分的に図形等の印刷層を設けることで、偽造防止性を増すことができる。
【００１１】
【発明の実施の形態】
図１は、本発明の装飾材料の一実施例を示す破断説明図であり、図２は、図１のＡ−Ａからの断面図である。
図中、１は、アルミニウム基材を、２は、ベーマイト層を、３は、表面層をそれぞれ示す。
【００１２】
ここで、アルミニウム基材１は、アルミニウム板、アルミニウム箔、あるいは前記アルミニウム材単体でなく、別の材料、例えば、紙、プラスチック材料と組み合わせた複合材料の、いずれでもよい。
また、アルミニウム蒸着フィルムを使用すれば、他の材料との複合化が容易であり、柔軟性に優れているので、フレキシブルな偽造防止材料として、使用可能である。
【００１３】
ベーマイト層２は、アルミニウム基材１のアルミニウム面をベーマイト処理することによって、形成する。このベーマイト層の厚さは、前記のベーマイト処理の度合いにより変化させることができる。
そして、得ようとする着色に応じて、ベーマイト処理を行い、所定の厚みのベーマイト層を形成する。
【００１４】
表面層３は、前述のベーマイト層のベーマイトよリ屈折率が大きい金属からなり、光線を透過する厚みに設ける。
ここで、ベーマイトより屈折率が大きい金属として、白金、銅等があるが、酸化等がなく安定している白金が好ましい。また、光線が透過する厚みは、１０ｎｍから２０ｎｍの範囲が好ましい。
【００１５】
そして、図３に示すように、前記表面層３の上に、透明な保護層４を設けてもよい。この保護層４は、表面層３を保護し、外部からの力、環境の影響で、傷や亀裂が発生したり、腐食や変色が発生するのを防止する。
また、この保護層４に、着色を施すことにより、より偽造防止性を高めることができる。
【００１６】
前述の偽造防止材料は、ベーマイト層の厚みを特定した１つの材料を用いるだけでなく、図４に示すように、ベーマイト層の厚みを変えた複数の材料を用いた偽造防止材料としてもよい。
このように、複数の材料を用いることで、着色の異なる部分が生じ、偽造防止性がさらに向上させることができる。
【００１７】
また、表面層３の上に、文字、図形等の印刷層を設けた構成としてもよい。
このように、特定の着色状態の材料上に、印刷層を設けることで、着色の異なる部分が生じ、偽造防止性がさらに向上させることができる。
【００１８】
次に、本発明の具体例について説明する。
アルミニウム基材として、厚みが４０μｍのアルミニウム箔を用い、このアルミニウム箔の表面をベーマイト処理し、ベーマイト層を設け、次に、このベーマイト層の上に白金をスパッタリングし、表面層を形成した。この時の、スパッタリングの条件は、３０ｍＡで、３０秒間であり、厚みは１２ｎｍであった。
そして、前記ベーマイト処理時間を変えて、それぞれ着色度合いを変えた偽造防止材料を作製した。その結果は、表１に示す通りである。
【００１９】
【表１】
0004779259.tif 000002
【００２０】
表１から明らかなように、アルミニウム基材の表面に設けたベーマイト層の厚みが変化することで、着色の度合いが変化する。そこで、所望の偽造防止材料を作製する場合、ベーマイト処理時間を特定すればよい。
【００２１】
このように、本発明の偽造防止材料は、以上の構成からなるので、アルミニウム基材の表面に設けたベーマイト層の厚みが変化させる、所望の着色の度合いの材料とすることが
できるので、各種偽造防止材料として、各種基体に取り付けることで、偽造防止可能な備品とすることができる。
【００２２】
【発明の効果】
本発明の偽造防止材料は、以上の構成からなるので、アルミニウム基材の表面に設けたベーマイト層の厚みが変化させる、所望の着色の度合いとすることができるので、各種偽造防止として使用することができる。
【００２３】
【図面の簡単な説明】
【図１】本発明の一実施例を示す破断説明図。
【図２】図１のＡ−Ａからの断面図。
【図３】本発明の他の実施例を示す説明図。
【図４】本発明の他の実施例を示す説明図。
【図５】本発明の他の実施例を示す説明図。
【符号の説明】
１・・・アルミニウム基材
２・・・ベーマイト層
３・・・表面層
４・・・保護層
６・・・印刷層
【図１】
0004779259.tif 000003
【図２】
0004779259.tif 000004
【図３】
0004779259.tif 000005
【図４】
0004779259.tif 000006
【図５】
0004779259.tif 000007